(57)【特許請求の範囲】
【請求項１】
複数の行に配置された表示アイテムとしての複数の設定項目のうちいずれかを選択する選択手段と、
前記選択手段で選択された設定項目に関する設定値を変更する変更操作を受け付ける操作手段と、
前記複数の行のうち前記選択手段で選択された設定項目に隣接する行の表示領域において、当該表示領域に表示されていた設定項目を非表示にし、前記選択手段で選択された設定項目について設定可能な複数の設定値を一覧表示するように制御する表示制御手段と
を有することを特徴とする表示制御装置。
【請求項２】
前記表示制御手段は、前記複数の設定項目のうち、撮像装置のシャッター速度、絞り値、感度が表示された位置には前記一覧表示は行わないように制御することを特徴とする請求項１に記載の表示制御装置。
【請求項３】
前記表示制御手段は、前記操作手段を介して前記変更操作があったことに応じて前記一覧表示を行うように制御することを特徴とする請求項１または２に記載の表示制御装置。
【請求項４】
前記表示制御手段は、前記一覧表示が行われてから所定時間が経過したら一覧表示を非表示として、見えなくなっていた設定項目を表示することを特徴とする請求項１乃至３の何れか１項に記載の表示制御装置。
【請求項５】
前記複数の設定項目には、数値で設定値を表示する第１の設定項目と、数値とは異なる形態で設定値を表示する第２の設定項目とが含まれることを特徴とする請求項１乃至４の何れか１項に記載の表示制御装置。
【請求項６】
前記第１の設定項目は、撮像装置のシャッター速度、絞り値、感度の少なくとも１つであることを特徴とする請求項５に記載の表示制御装置。
【請求項７】
前記表示制御手段は、
前記一覧表示が行われてから自動的に一覧表示を非表示とするまでの時間は、前記第２の設定項目に関する一覧表示の時間の方を、前記第１の設定項目に関する一覧表示の時間よりも長くすることを特徴とする請求項５または６に記載の表示制御装置。
【請求項８】
前記表示制御手段は、前記複数の設定項目が複数の行に配置して表示されている選択画面にあるガイド領域に、選択された設定項目に関するガイドを表示することを特徴とする請求項２乃至７の何れか１項に記載の表示制御装置。
【請求項９】
前記表示制御手段は、前記ガイドとして、数値で設定値を表示する第１の設定項目なら項目名を表示し、数値とは異なる形態で設定値を表示する第２の設定項目ならば設定値を表示することを特徴とする請求項８に記載の表示制御装置。
【請求項１０】
前記表示制御手段は、前記一覧表示は、ガイド領域には表示しないことを特徴とする請求項８または９に記載の表示制御装置。
【請求項１１】
前記表示制御手段は、前記一覧表示は、選択された設定項目のひとつ下の行がガイド領域を含まない場合には、選択された設定項目のひとつ下の行に表示し、選択された設定項目のひとつ下の行がガイド領域を含む場合には、選択された設定項目のひとつ上の行に表示することを特徴とする請求項８乃至１０の何れか１項に記載の表示制御装置。
【請求項１２】
前記表示制御手段は、前記複数の設定項目のうち、撮像装置のシャッター速度、絞り値、感度の設定項目は一番上の行に表示することを特徴とする請求項１１に記載の表示制御装置。
【請求項１３】
前記表示制御手段は、
前記操作手段を介して所定の操作が行われると、選択された設定項目の他の設定項目が表示されない、選択された設定項目に関する詳細設定画面を表示するように制御することを特徴とする請求項１乃至１２の何れか１項に記載の表示制御装置。
【請求項１４】
前記詳細設定画面には、選択された設定項目に関する一覧表示と同じ形態の表示が含まれることを特徴とする請求項１３に記載の表示制御装置。
【請求項１５】
複数の行に配置された表示アイテムとしての複数の設定項目のうちいずれかを選択する選択工程と、
前記選択工程において選択された設定項目に関する設定値を変更する変更操作を受け付ける操作工程と、
前記複数の行のうち前記選択工程で選択された設定項目に隣接する行の表示領域において、当該表示領域に表示されていた設定項目を非表示にし、前記選択工程で選択された設定項目について設定可能な複数の設定値を一覧表示するように制御する表示制御工程と
を有することを特徴とする表示制御装置の制御方法。
【請求項１６】
コンピュータを、請求項１乃至１４の何れか１項に記載された表示制御装置の各手段として機能させるためのプログラム。
【請求項１７】
コンピュータを、請求項１乃至１４の何れか１項に記載された表示制御装置の各手段として機能させるためのプログラムを格納したコンピュータが読み取り可能な記憶媒体。
【発明の詳細な説明】
【技術分野】
【０００１】
本発明は表示制御装置及び表示制御装置の制御方法に関し、特に、表示された複数の設定項目のうち、選択した設定項目に含まれる設定値の一覧表示に関する。
【背景技術】
【０００２】
近年、表示画面を備える電子機器において、各種機能の設定を行う際に表示画面に複数の設定項目と、設定項目ごとに現在設定されている設定値を表示させる設定画面が採用されている。ユーザーは、表示画面に表示された設定項目と現在設定されている設定値を確認しつつ、ボタン操作を行い、各種機能の設定を行う。
【０００３】
従来の設定値変更方法では、単純にボタンを押下して設定値を次々と変更する方法があった。しかしながら、この選択方式ではボタンを押してみるまでどのような設定値がどの順番であるのか判らなかった。特許文献１には、選択した設定項目に含まれる選択可能な設定値を一覧表示しつつ、選択されなかった設定項目の表示行を選択した設定項目の表示行の後ろに表示することで、より多くの設定項目を表示できるメニュー表示装置が開示されている。
【先行技術文献】
【特許文献】
【０００４】
【特許文献１】特開２０１０−１７１９６１号公報
【発明の概要】
【発明が解決しようとする課題】
【０００５】
しかしながら、特許文献１のメニュー表示装置では、設定値の一覧表示中は選択された設定項目以外の表示行が重ねられてしまうので、選択している設定項目の行しか見えなくなる。そのため、選択されなかった設定項目の表示行に含まれる設定項目の現在の設定値を見ながら、設定値の変更を行うことができない問題点があった。
本発明は前述の問題点に鑑み、設定項目の現在の設定値を確認しながら設定を変更できるようにすることを目的とする。
【課題を解決するための手段】
【０００６】
本発明の表示制御装置は、複数の行に配置された表示アイテムとしての複数の設定項目のうちいずれかを選択する選択手段と、前記選択手段で選択された設定項目に関する設定値を変更する変更操作を受け付ける操作手段と、前記複数の行のうち前記選択手段で選択された設定項目に隣接する行の表示領域において、当該表示領域に表示されていた設定項目を非表示にし、前記選択手段で選択された設定項目について設定可能な複数の設定値を一覧表示するように制御する表示制御手段とを有することを特徴とする。
【発明の効果】
【０００７】
本発明によれば、選択している設定項目の設定値を変更する際に、選択した設定項目に隣接する行に重畳して選択可能な複数の設定値を１行で一覧表示するようにしたので、より多くの設定項目の現在の設定値を確認しながら設定を変更することができる。
【図面の簡単な説明】
【０００８】
【図１】本発明の実施形態に係るデジタルカメラの外観を示す図である。
【図２】実施形態に係るデジタルカメラの構成例を示すブロック図である。
【図３】実施形態に係る設定画面の表示例を示す図である。
【図４】実施形態に係る選択設定項目の行に応じた設定値の一覧表示の表示例を示す図である。
【図５】実施形態に係る詳細設定画面の表示例を示す図である。
【図６】実施形態に係る設定画面の制御処理の手順を説明するフローチャートである。
【発明を実施するための形態】
【０００９】
以下、図面を参照して本発明の好適な実施形態を説明する。
図１は、本発明の表示制御装置の一例としてのデジタルカメラの外観を示す図である。
表示部１１１は、画像や各種情報を表示する表示部である。シャッターボタン１１６は、撮影指示を行うための操作部である。モードダイアル１１７は、各種モードを切り替えるための操作部である。メインダイアル５０、上下左右キー８０、SETキー９０はユーザーからの操作を受け付ける操作部材である。
【００１０】
図２は、本実施形態によるデジタルカメラ１００の構成例を示すブロック図である。
図２において、撮影レンズ１０４はズームレンズ、フォーカスレンズを含むレンズ群である。シャッター１０５は絞り機能を備えるシャッターである。撮像部１０６は光学像を電気信号に変換するＣＣＤやＣＭＯＳ素子等で構成される撮像素子である。
【００１１】
Ａ／Ｄ変換器１０７は、アナログ信号をデジタル信号に変換するためのものであり、撮像部１０６から出力されるアナログ信号をデジタル信号に変換する。バリア１０３は、デジタルカメラ１００の、撮影レンズ１０４を含む撮像系を覆うことにより、撮影レンズ１０４、シャッター１０５、撮像部１０６を含む撮像系の汚れや破損を防止する。
【００１２】
画像処理部１０２は、Ａ／Ｄ変換器１０７からのデータ、または、メモリ制御部１０８からのデータに対し所定の画素補間、縮小といったリサイズ処理や色変換処理を行う。また、画像処理部１０２では、撮像した画像データを用いて所定の演算処理が行われ、得られた演算結果に基づいてシステム制御部１０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１０２では更に、撮像した画像データを用いて所定の演算処理を行い、得られた演算結果に基づいてＴＴＬ方式のＡＷＢ（オートホワイトバランス）処理も行っている。
【００１３】
Ａ／Ｄ変換器１０７からの出力データは、画像処理部１０２及びメモリ制御部１０８を介して、或いは、メモリ制御部１０８を介してメモリ１０９に直接書き込まれる。メモリ１０９は、撮像部１０６によって得られＡ／Ｄ変換器１０７によりデジタルデータに変換された画像データや、表示部１１１に表示するための画像データを格納する。メモリ１０９は、所定枚数の静止画像や所定時間の動画像および音声を格納するのに十分な記憶容量を備えている。
【００１４】
また、メモリ１０９は、画像表示用のメモリ（ビデオメモリ）を兼ねている。Ｄ／Ａ変換器１１０は、メモリ１０９に格納されている画像表示用のデータをアナログ信号に変換して表示部１１１に供給する。こうして、メモリ１０９に書き込まれた表示用の画像データはＤ／Ａ変換器１１０を介して表示部１１１により表示される。
【００１５】
表示部１１１は、ＬＣＤ等の表示器上に、Ｄ／Ａ変換器１１０からのアナログ信号に応じた表示を行う。Ａ／Ｄ変換器１０７により一度Ａ／Ｄ変換されメモリ１０９に蓄積されたデジタル信号をＤ／Ａ変換器１１０でアナログ変換する。そして、表示部１１１に逐次転送して表示することで、電子ビューファインダとして機能し、スルー画像表示（ライブビュー表示）を行うことができる。
【００１６】
不揮発性メモリ１１４は、電気的に消去・記録可能なメモリであり、例えばＥＥＰＲＯＭ等が用いられる。不揮発性メモリ１１４には、システム制御部１０１の動作用の定数、プログラム等が記憶される。ここでいう、プログラムとは、本実施形態にて後述する各種フローチャートを実行するためのプログラムのことである。
【００１７】
システム制御部１０１は、デジタルカメラ１００全体を制御する。前述した不揮発性メモリ１１４に記録されたプログラムを実行することで、後述する本実施形態の各処理を実現する。１１３はシステムメモリであり、ＲＡＭが用いられる。システムメモリ１１３には、システム制御部１０１の動作用の定数、変数、不揮発性メモリ１１４から読み出したプログラム等を展開する。また、システム制御部はメモリ１０９、Ｄ／Ａ変換器１１０、表示部１１１等を制御することにより表示制御も行う。
【００１８】
システムタイマー１１２は、各種制御に用いる時間や、内蔵された時計の時間を計測する計時部である。
モードダイアル１１７、第１シャッタースイッチ１１６a、第２シャッタースイッチ１１６bはシステム制御部１０１に各種の動作指示を入力するための操作手段である。モードダイアル１１７は、システム制御部１０１の動作モードを静止画記録モード、動画記録モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。
【００１９】
モードダイアル１１７で、静止画撮影モードに含まれるこれらのモードのいずれかに直接切り替えられる。あるいは、モードダイアル１１７で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００２０】
第１シャッタースイッチ１１６aは、デジタルカメラ１００に設けられたシャッターボタン１１６の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２１】
第２シャッタースイッチ１１６ｂは、シャッターボタン１１６の操作完了、いわゆる全押し（撮影指示）でＯＮとなり、第２シャッタースイッチ信号ＳＷ２を発生する。システム制御部１０１は、第２シャッタースイッチ信号ＳＷ２により、撮像部１０６からの信号読み出しから記録媒体１２３に画像データを書き込むまでの一連の撮影処理の動作を開始する。
【００２２】
操作部１１５の各操作部材は、表示部１１１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部１１１に表示される。利用者は、表示部１１１に表示されたメニュー画面と、上下左右の４方向ボタンやＳＥＴボタンとを用いて直感的に各種設定を行うことができる。
【００２３】
図１に示すメインダイアル５０は、回転操作可能な操作部材であり、方向ボタンと共に選択項目を指示する際などに使用される。メインダイアル５０を回転操作すると、操作量に応じて電気的なパルス信号が発生し、このパルス信号に基づいてシステム制御部１０１はデジタルカメラ１００の各部を制御する。このパルス信号によって、メインダイアル５０が回転操作された角度や、何回転したかなどを判定することができる。
【００２４】
なお、メインダイアル５０は、回転操作が検出できる操作部材であればどのようなものでもよい。例えば、ユーザーの回転操作に応じてメインダイアル５０自体が回転してパルス信号を発生するダイヤル操作部材であってもよい。また、タッチセンサよりなる操作部材で、メインダイアル５０自体は回転せず、メインダイアル５０上でのユーザーの指の回転動作などを検出するものであってもよい（いわゆる、タッチホイール）。
【００２５】
電源スイッチ１１８は、デジタルカメラ１００の起動あるいは終了を指示するための操作部材である。ユーザーにより電源スイッチ１１８が操作され、デジタルカメラ１００の電源がＯＮ状態にされると、システム制御部１０１は起動時の準備処理を実行し、また電源がＯＦＦ状態にされると、システム制御部１０１は終了処理を実行する。
電源制御部１１９は、電池検出回路、ＤＣ−ＤＣコンバータ、通電するブロックを切り替えるスイッチ回路等により構成され、電池の装着の有無、電池の種類、電池残量の検出を行う。また、電源制御部１１９は、その検出結果及びシステム制御部１０１の指示に基づいてＤＣ−ＤＣコンバータを制御し、必要な電圧を必要な期間、記録媒体１２３を含む各部へ供給する。
【００２６】
電源部１２０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１２２は、メモリカードやハードディスク等の記録媒体１２３とのインターフェースである。記録媒体１２３は、撮影された画像を記録するためのメモリカード等の記録媒体であり、半導体メモリや磁気ディスク等から構成される。
【００２７】
本実施形態において「設定画面」とは、デジタルカメラ１００の設定を行うメニュー画面であり、表示アイテムとして複数の設定項目が選択肢として行列に配列され、ユーザーは当該設定項目を選択することで個々の設定項目の設定を変更できるものとする。また、「詳細設定画面」とは、デジタルカメラの任意の１つの設定項目について、設定値の説明が表示されるガイダンスを確認しながら設定を変更できるものとする。
【００２８】
以下、図３〜図６を参照して、本発明の実施形態の動作を説明する。
図３は、設定画面の表示例を示す図である。設定項目３０１〜３１６が行列に並べて表示され、かつ設定項目の１つであるシャッター速度の設定項目３０２が選択されている。選択されている設定項目（以下、選択項目と称する）には、選択されていることを示すフォーカス枠４００が表示される。
【００２９】
本実施形態では、フォーカス枠４００によって選択項目であること示す例を説明するが、枠表示に限るものではなく、選択項目を他の項目と色を変える、他の項目より大きく表示する、選択されていることを示すマークを付して表示するなどでもよい。また、ガイド領域３２０に、選択項目に係るガイド表示がなされている。
【００３０】
図３の例では、シャッター速度の設定項目３０２が選択されているため、ガイド領域３２０には、設定項目３０２の項目名である「シャッター速度」が表示されており、現在選択している設定項目はシャッター速度であることをユーザーが識別できるようになる。設定画面には、複数の設定項目が表示領域のほぼ全体を用いて配置され、各設定項目をなるべく大きく表示することで、視認性の高い設定項目の提示を行っている。
【００３１】
図４（ａ）〜（ｆ）には、設定画面において設定項目の１つが選択されており、かつ、選択項目に関する選択肢である設定値の一覧表示と、選択項目に係るガイド表示を行っている場合の表示例を示す。
【００３２】
図４（ａ）に、シャッター速度の設定項目３０２が選択されており、設定項目３０２についての選択肢である設定値の一覧表示４０１と、選択項目のガイド４０２が表示されている例を示す。設定値の一覧表示４０１は選択項目が配置されている１行目の下の行（２行目）に重畳して表示される。すなわち、一覧表示４０１が表示されていない場合に２行目に表示される設定項目３０５、３０６は、一覧表示４０１に遮蔽されるため表示されない。設定項目３０２の位置において、シャッター速度の現在の設定値は数値で表される。また、設定値の一覧表示４０１では現在の設定値が着色表示により識別可能に表示される。
【００３３】
図４（ｂ）に、調光補正の設定項目３０６が選択されており、設定項目３０６についての選択肢である設定値の一覧表示４１１と、選択項目のガイド４１２が表示されている例を示す。設定値の一覧表示４１１は、選択項目が配置されている２行目の下の行（３行目）に重畳して表示される。すなわち、一覧表示４１１が表示されていない場合に３行目に表示される設定項目３０７〜３１１は、一覧表示４１１に遮蔽されるため表示されない。設定項目３０６の位置において、調光補正の現在の設定値は数値で表される。また、設定値の一覧表示４１１では現在の設定値が着色表示により識別可能に表示される。
【００３４】
図４（ｃ）に、ホワイトバランスの設定項目３０８が選択されており、設定項目３０８についての選択肢である設定値の一覧表示４２１と、選択項目のガイド４２２が表示されている例を示す。設定値の一覧表示４２１は選択された設定項目３０８の配置された３行目の下の行（４行目）に重畳して表示される。
【００３５】
すなわち、一覧表示４２１が表示されていない場合に４行目に表示される設定項目３１２〜３１６は、一覧表示４２１に遮蔽されるため表示されない。設定項目３０８の位置において、ホワイトバランスの現在の設定値は図形（アイコン）で表される。また、設定値の一覧表示４２１では現在の設定値が反転表示や着色表示により識別可能に表示される。さらに、ガイド４２２においては、選択項目の項目名ではなく、現在の設定値を示す文字列（図示の例では「太陽光」）が表示される。
【００３６】
図４（ｄ）に、測光モードの設定項目３１４が選択されており、設定項目３１４についての選択肢である設定値の一覧表示４３１と、選択項目のガイド４３２が表示されている例を示す。設定値の一覧表示４３１は、ガイド４３２を遮蔽しないよう、選択された設定項目３１４が配置された４行目の上の行（３行目）に重畳して表示される。
【００３７】
すなわち、一覧表示４３１が表示されていない場合に３行目に表示される設定項目３０７〜３１１は、一覧表示４３１に遮蔽されるため表示されない。設定項目３１４の位置において測光モードの現在の設定値は図形（アイコン）で表される。また、設定値の一覧表示４３１では現在の設定値が反転表示や着色表示により識別可能に表示される。さらに、ガイド４３２においては、選択項目の項目名ではなく、現在の設定値を示す文字列（図示の例では「スポット測光」）が表示される。
【００３８】
図４（ｅ）、（ｆ）は、記録画質の設定項目３１６が選択されており、設定項目３１６についての選択肢である設定値の一覧表示４４１と、選択項目のガイド４４２が表示されている例を示す。記録画質の設定項目の選択肢は、一覧表示４４１の１行分の表示領域に配置できる選択肢の数（所定数）よりも多くの選択肢がある。そのため、一度に表示するのは全ての選択肢の一部とし、複数のページに設定値を配置して一覧表示を行う。
【００３９】
このとき、ユーザーにページが複数ある（スクロールさせて他の選択肢を表示させることができる）ことを示すマーク４４０Ｌ、４４０Ｒを表示する。設定項目３１６の位置において記録画質の現在の設定値は図形（アイコン）で表される。また、設定値の一覧表示４４１では現在の設定値が反転表示や着色表示により識別可能に表示される。さらに、ガイド４４２においては、選択項目の項目名ではなく、現在の設定値を示す文字列（図示の例では、設定されている画質での画像のデータ量、画素数、残り撮影可能枚数を示す数値）が表示される。
【００４０】
図４（ａ）におけるシャッター速度の設定項目３０２や、図４（ｂ）における調光補正の設定項目３０６のように、設定項目上で設定値が数値で表される場合、ガイド領域には現在の設定値を数値で表示すると設定項目上での表示と内容が重複してしまう。そのため、この場合はガイド領域には、設定値ではなく設定項目の名称を表示する。
【００４１】
一方、図４（ｃ）のホワイトバランスの設定項目３０８、図４（ｄ）の測光モードの設定項目３１４、図４（ｅ）の記録画質の設定項目３１６の場合は、以下のように表示する。すなわち、設定項目上で設定値が図形や数値以外の文字である場合、もしくは、それらの組み合わせで表される場合、ガイド領域には設定項目の名称ではなく現在の設定値を表示する。
図４（ａ）、（ｂ）で示したように設定項目上で設定値が数値で表される場合、ユーザーは設定値が変更されても数値だけを確認することで現在の設定値を理解できる。
【００４２】
一方、図４（ｃ）、（ｄ）、（ｅ）で示したように、設定項目上で設定値が図形や数値以外の文字である場合、もしくは、それらの組み合わせで表される場合は以下のように表示される。すなわち、ユーザーは設定値を理解するために、設定値の名称または設定値の数値が表示されたガイド領域も合わせて確認する。
【００４３】
そのため、設定項目上で設定値が図形や数値以外の文字、もしくはそれらの組み合わせで表される場合の一覧表示は、設定項目上で設定値が数値で表示される場合よりも選択肢の一覧表示を長い時間表示する。すなわち、一覧表示４０１、４１１よりも、一覧表示４２１、４３１、４４１の方を、表示時間を長く設定する。これによって、図形や数値以外の文字、もしくはそれらの組み合わせで表された設定項目上の設定値について、名称または数値的な意味を確認しやすいようにしている。
【００４４】
設定値の一覧表示では、一覧表示によって遮蔽される情報量を減らすために、図４（ａ）〜（ｆ）に示すように、複数行は用いずに１行で一覧表示する。また、選択項目に関わる設定値が一覧表示されていることが分かるよう、選択設定項目に隣接する行に一覧表示する。その際、選択項目と、ガイド領域を遮蔽しない位置に一覧表示を行う。
【００４５】
設定画面には、１行目に撮影モードの設定項目３０１、シャッター速度の設定項目３０２、絞り値の設定項目３０３、ISO感度の設定項目３０４が配置されている。図４（ａ）〜（ｆ）からも分かるように、どの行に配置された設定項目を選択して一覧表示を行っても、１行目に配置された前述の設定項目群（３０１〜３０４）が遮蔽されることはない。ユーザーは、前述の設定項目群の現在の設定値を確認しながら設定を変更することが可能である。
【００４６】
これは、撮像装置において、撮影モード、シャッター速度、絞り値、ＩＳＯ感度の情報が特に重要であり、どの設定項目について設定値を変更する場合でも、これらの情報を見ながら設定値を調整できることが求められているからである。例えば、ホワイトバランスを設定する際に、どの設定値に設定すべきかを、露出の三要素であるシャッター速度、絞り値、ＩＳＯ感度を考慮に入れながら決めるユーザーもいる。
【００４７】
設定値の一覧表示は設定項目に重畳して表示されるが、図４（ａ）〜（ｆ）の例では、選択項目以外の設定項目については、アイコン（項目）の色を薄くする。このようにすることで、選択項目に関する設定値の一覧表示の部分と、その他の設定項目の表示をユーザーが区別可能（識別可能）としている。このような色の濃さの違いによる識別表示の他に、一覧表示の領域に枠線を表示する、もしくは一覧表示の領域に赤やオレンジといった色で着色することで、一覧表示と設定項目の表示を区別可能としてもよい。
【００４８】
図５（ａ）に、シャッター速度の設定項目３０２に関する詳細設定画面の表示例を、図５（ｂ）にホワイトバランスの設定項目３０８に関する詳細設定画面の表示例を示す。
図４（ａ）、（ｃ）に示した設定画面における設定値の一覧表示は、それぞれ、図５（ａ）、（ｂ）に示した各設定項目の詳細設定画面の設定値表示と同じ表示としている。このように表示することで、ユーザーに混乱を与えないようにすることができる。
【００４９】
図６に、前述の設定画面においてユーザーからの設定操作を受け付ける設定画面処理の手順を説明するフローチャートを示す。この処理は、不揮発性メモリ１１４に記憶されたプログラムをシステムメモリ１１３に読み出し、システム制御部１０１が実行することによって実現する。
【００５０】
デジタルカメラ１００の電源がオンとなって、設定画面を表示する指示があると、図６の処理を開始する。なお、図６の処理のどのタイミングであっても、シャッターボタン１１６に対する半押しまたは全押しの操作があると、その時点での設定値に基づいて、前述のＡＦ処理、ＡＥ処理、ＡＷＢ処理、ＥＦ処理等の動作、または一連の撮影処理の動作を行うものとする。
【００５１】
Ｓ６０１では、システム制御部１０１は、不揮発性メモリ１１４に記憶されたフォーカス位置（選択すべき項目の情報、あるいはフォーカス枠を付すべき位置の情報）を読み込む。
Ｓ６０２では、システム制御部１０１は、Ｓ６０１で読み込んだフォーカス位置の項目にフォーカス枠４００を付して、表示部１１１に選択画面を表示する。
【００５２】
Ｓ６０３では、システム制御部１０１は、現在の選択項目（フォーカス枠のある項目）が、シャッター速度の設定項目３０２、絞り値の設定項目３０３、ＩＳＯ感度の設定項目３０４、調光補正の設定項目３０６の何れかであるか否かを判定する。これらの何れかであった場合はＳ６０４に進み、そうでない場合はＳ６０５に進む。
Ｓ６０４では、システム制御部１０１は、選択項目の名称を、ガイド領域３２０に表示する。この時の表示例が図３に示した表示例である。
【００５３】
Ｓ６０５では、システム制御部１０１は、選択項目について現在設定されている設定値をガイド領域３２０に表示する。例えば、選択項目がホワイトバランスの設定項目３０８であれば、設定されている設定値である「太陽光」という文字列で表示する。また、選択項目が記録画質の設定項目３１６であれば、設定されている設定値の名称、その設定値での記録容量、画素数、残り撮影枚数を表示する。
【００５４】
Ｓ６０６では、システム制御部１０１は、上下左右キー８０のいずれかが押下されたか否かを判定する。押下された場合はＳ６０７に進み、そうでない場合はＳ６１０に進む。
Ｓ６０７では、システム制御部１０１は、上下左右キーのうち押下された方向にフォーカス枠を移動して、選択項目を変更する。また、移動したフォーカス枠の情報（フォーカス位置）を、不揮発性メモリ１１４に記録する。
【００５５】
Ｓ６０８では、システム制御部１０１は、選択項目についての選択肢の一覧表示を行っているか否かを判定する。行っている場合はＳ６０９に進み、そうでない場合はＳ６０３に戻る。
Ｓ６０９では、システム制御部１０１は、表示していた選択項目についての選択肢の一覧表示を消去する。これによって、一覧表示によって遮蔽されていた設定項目が見えるようになる。
【００５６】
Ｓ６１０では、システム制御部１０１は、メインダイアル５０が操作されたか否かを判定する。操作されたと判定した場合はＳ６１１に進み、そうでない場合はＳ６２６に進む。
Ｓ６１１では、システム制御部１０１は、選択項目の１行下の行が、ガイド領域３２０のあるガイド表示行であるか否かを判定する。ガイド表示行でないと判定した場合はＳ６１２に進み、ガイド表示行である場合はＳ６１３に進む。
【００５７】
Ｓ６１２では、システム制御部１０１は、選択項目の１行下の行に、選択項目についての設定値の一覧表示を行う。この時の表示例が、図４（ａ）〜（ｃ）である。
Ｓ６１３では、システム制御部１０１は、選択項目の１行上の行に、選択項目についての設定値の一覧表示を行う。これによって、ガイド表示を行っているガイド領域３２０が一覧表示によって遮蔽されないようにしている。この時の表示例が図４（ｄ）〜（ｆ）である。
【００５８】
Ｓ６１４では、システム制御部１０１は、選択項目についての設定値の一覧表示を自動的に非表示とするまでの時間を図るためのタイマーをスタートさせる。より具体的には、システムメモリ１１３に記憶されている一覧表示の表示開始時刻の変数に、システムタイマー１１２より取得した現在の時刻の情報を代入する。
【００５９】
Ｓ６１５では、システム制御部１０１は、Ｓ６１０で判定されたメインダイアル５０の操作に応じて、選択項目について現在設定されている設定値を変更する。なお、一覧表示がなされていない状態からメインダイアル５０が操作（回転操作）された場合には、このように一覧表示を表示させるとともに設定値の変更を行ってもよいし、１クリック分の回転操作では設定値は変更せずに、一覧表示のみを行ってもよい。その場合も、その後の２クリック目以上の操作に応じては設定値を変更する。
【００６０】
Ｓ６１６では、システム制御部１０１は、現在の選択項目（フォーカス枠のある項目）が、シャッター速度の設定項目３０２、絞り値の設定項目３０３、ＩＳＯ感度の設定項目３０４、調光補正の設定項目３０６の何れかであるか否かを判定する。これらの何れかであった場合はＳ６１８に進み、そうでない場合はＳ６１７に進む。
Ｓ６１７では、システム制御部１０１は、選択項目について現在設定されている設定値をガイド領域３２０に表示する。すなわち、Ｓ６１５で変更された設定値に応じてガイド領域３２０の表示を更新する。
【００６１】
Ｓ６１８では、システム制御部１０１は、メインダイアル５０が操作されたか否かを判定する。操作されたと判定した場合はＳ６１４に進み、タイマーをリセット（リスタート）するととともに、Ｓ６１５でメインダイアル５０の操作に応じて設定値を変更する。メインダイアル５０が操作されていない場合はＳ６１９に進む。
【００６２】
Ｓ６１９では、システム制御部１０１は、上下左右キー８０のいずれかが押下されたか否かを判定する。押下された場合はＳ６０７に進み、そうでない場合はＳ６２０に進む。
Ｓ６２０では、システム制御部１０１は、ＳＥＴキー９０（セットボタン）が押下されたか否かを判定する。ＳＥＴキー９０が押下されると、Ｓ６２５に進み、一覧表示を終了する。
【００６３】
Ｓ６２１では、システム制御部１０１は、設定画面の表示を終了させる終了操作があったか否かを判定する。終了操作としては、メニューボタンの押下、再生ボタンの押下（再生モードへの移行指示）、電源ＯＦＦ操作、ライブビュー開始ボタンの押下などがある。終了操作があった場合は設定画面処理を終了し、そうでない場合はＳ６２２に進む。
【００６４】
Ｓ６２２では、システム制御部１０１は、現在の選択項目（フォーカス枠のある項目）が、シャッター速度の設定項目３０２、絞り値の設定項目３０３、ＩＳＯ感度の設定項目３０４、調光補正の設定項目３０６の何れかであるか否かを判定する。これらの何れかであった場合はＳ６２３に進み、そうでない場合はＳ６２４に進む。
【００６５】
Ｓ６２３では、システム制御部１０１は、Ｓ６１４でスタートしたタイマーが、所定時間が経過して、タイムアウト時間Ｔ１（例えば３秒）に達したか否かを判定する。タイムアウト時間Ｔ１に達した場合はＳ６２５に進み、そうでない場合はＳ６１８に戻る。
Ｓ６２４では、システム制御部１０１は、Ｓ６１４でスタートしたタイマーが、タイムアウト時間Ｔ２（Ｔ１より長いものとする。例えば５秒）に達したか否か判定する。タイムアウト時間Ｔ２に達した場合はＳ６２５に進み、そうでない場合はＳ６１８に戻る。
【００６６】
Ｓ６２５では、システム制御部１０１は、表示していた選択項目についての選択肢の一覧表示を消去する。これによって、一覧表示によって遮蔽されていた設定項目が見えるようになる。このように、タイムアウトによって一覧表示が消えるまでの時間は、選択項目によって異なり、設定項目上で設定値が数値で表される設定項目（ガイド表示が項目名で行われる設定項目）の方が短い。
【００６７】
Ｓ６２６では、システム制御部１０１は、ＳＥＴキー９０（セットボタン）が押下されたか否かを判定する。ＳＥＴキー９０が押下されると、Ｓ６２７に進み、そうでない場合はＳ６２８に進む。
Ｓ６２７では、システム制御部１０１は、現在の選択項目に関する詳細設定画面を表示部１１１に表示する。この時の表示例は図５（ａ）、（ｂ）に示した通りである。詳細設定画面を表示すると、ユーザーの設定値変更操作を受け付ける。詳細設定画面を終了する操作を受け付けると、設定画面に戻り、Ｓ６２８に進む。
【００６８】
Ｓ６２８では、システム制御部１０１は、設定画面の終了操作が行われたか否かを判定する。終了操作はＳ６２０で説明した通りである。終了操作がなかった場合はＳ６０６に戻って処理を繰り返し、終了操作があった場合は設定画面処理を終了する。
【００６９】
以上説明した例では、一番上の行である１行目に撮影モードの設定項目３０１、シャッター速度の設定項目３０２、絞り値の設定項目３０３、ISO感度の設定項目３０４を配置した例を説明した。この配置であれば、ガイド領域が１行下にある４行目以外は基本的に選択項目の１行下の行に一覧表示するものとする。このように表示しておけば、撮影モードの設定項目３０１、シャッター速度の設定項目３０２、絞り値の設定項目３０３、ISO感度の設定項目３０４は一覧表示によって遮蔽されることはない。
【００７０】
しかし、２行目以降に撮影モードの設定項目３０１、シャッター速度の設定項目３０２、絞り値の設定項目３０３、ISO感度の設定項目３０４を配した場合は、一覧表示によってこれらの設定項目が遮蔽される可能性がある。このような場合は、Ｓ６１１の判定結果がＮｏだった場合に、選択項目の１つ下の行に、撮影モード、シャッター速度、絞り値、ISO感度のいずれかの設定項目が配置されているか否かを判定するステップを設けるとよい。そして、選択項目の１つ下の行に、撮影モード、シャッター速度、絞り値、ISO感度のいずれかの設定項目が配置されていた場合にはＳ６１３に進み、そうでない場合はＳ６１２に進むようにする。
【００７１】
なお、システム制御部１０１の制御は１つのハードウェアが行ってもよいし、複数のハードウェアが処理を分担することで、装置全体の制御を行ってもよい。
【００７２】
また、本発明をその好適な実施形態に基づいて詳述してきたが、本発明はこれら特定の実施形態に限られるものではなく、この発明の要旨を逸脱しない範囲の様々な形態も本発明に含まれる。
【００７３】
前述した実施形態においては、本発明をデジタルカメラに適用した場合を例にして説明したが、これはこの例に限定されず、ガイダンス表示を行う撮像装置であれば適用可能である。また、複数の設定項目を並べて表示する表示制御装置であれば適用可能である。すなわち、本発明はデジタル一眼レフカメラ、デジタルビデオカメラ、ＰＤＡ、携帯電話端末や携帯型の画像ビューワー、音楽プレイヤー、ゲーム機、電子ブックリーダーなどに適用可能である。また、撮像装置をリモートで制御する装置、例えばスマートフォンやタブレットにおけるカメラ制御アプリに用いても好適である。
【００７４】
（その他の実施形態）
本発明は、前述の実施形態の１以上の機能を実現するプログラムを、ネットワークまたは記憶媒体を介してシステム又は装置に供給する。そして、そのシステムまたは装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７５】
５０  メインダイアル
８０  上下左右キー
９０  ＳＥＴキー
１００  デジタルカメラ
１０１  システム制御部
１０９  メモリ
１１１  表示部
１１２  システムタイマー
１１６  シャッターボタン
１１７  モードダイアル
【図１】
0006448334.tif 000002
【図２】
0006448334.tif 000003
【図３】
0006448334.tif 000004
【図４】
0006448334.tif 000005
【図５】
0006448334.tif 000006
【図６】
0006448334.tif 000007